(57)【要約】【課題】全白表示の点灯によりエージングを行った場合には、緑色の輝度のみが顕著に下がるため、白色表示における色温度の制御が出来ない。【解決手段】プラズマディスプレイパネルのエージング工程において、櫛型のエージングトレー電極を用いることにより、プラズマディスプレイパネルの赤色又は青色の発光色に対応した発光セルのみに所定の電圧を印加し、単色表示によるエージングを行う。単色表示のエージング工程を施すことにより対応する発光色の輝度が低下するので、各発光色毎に個別にエージングすることにより白色表示における色温度の調整が可能となる。【選択図】      図１
2004152549.tif 000002
【特許請求の範囲】
【請求項１】
プラズマディスプレイパネルのエージング工程において、一の発光色に対応する発光セルにのみ電圧を印加して単色点灯を行う工程を含むことを特徴とするプラズマディスプレイパネルの製造方法。
【請求項２】
プラズマディスプレイパネルのエージング工程において、全ての発光色に対応する発光セルに電圧を印加して白色点灯を行う工程と、一の発光色に対応する発光セルにのみ電圧を印加して単色点灯を行う工程とを有することを特徴とするプラズマディスプレイパネルの製造方法。
【請求項３】
プラズマディスプレイパネルのエージング工程において、一の発光色の輝度を低下させることにより、プラズマディスプレイパネルの白色表示時における色温度を調整する工程を含むことを特徴とするプラズマディスプレイパネルの製造方法。
【請求項４】
前記単色点灯を行う工程において、点灯させる発光セルに対応する発光色が赤色又は青色であることを特徴とする請求項１又は２に記載のプラズマディスプレイパネルの製造方法。
【請求項５】
前記一の発光色が赤色又は青色であることを特徴とする請求項３に記載のプラズマディスプレイパネルの製造方法。
【請求項６】
プラズマディスプレイパネルのエージング工程に用いる製造装置において、プラズマディスプレイパネルの一の発光色に対応した発光セルの電極端子と接続する部分が凸型形状部を有し、他の発光色に対応した発光セルの電極端子と相対する部分は接続のための凸型形状部を有さないエージングトレー電極部を具備することを特徴とするプラズマディスプレイパネルの製造装置。
【発明の詳細な説明】
【０００１】
【発明の属する技術分野】
本発明はプラズマディスプレイパネルの製造方法及び製造装置に関し、特にエージング工程及びエージング装置に関する。
【０００２】
【従来の技術】
従来よりプラズマディスプレイパネルの製造方法においては、前面基板１及び背面基板２をそれぞれ作製し、貼り合わせ、排気・ガス封入・封止等からなるアセンブリ工程を経た後に、エージング工程が施されている。（例えば、特許文献１参照。）。
【０００３】
このエージング工程は、保護膜や蛍光体表面に吸着している不純物ガスを除去し、放電開始電圧、最大維持電圧及び最小維持電圧等により示される放電特性を安定化させ、プラズマディスプレイパネル内の電圧、表示ムラ及び特性等の均一化を図ることを目的としている。
【０００４】
そして従来の技術によれば、エージング工程は走査電極、維持電極、及びデータ電極のそれぞれ赤色・緑色・青色に対応する発光セルのパネル電極端子３を全てエージング装置と接続させ、所定の電圧を印加することにより全白色表示（全面点灯）で一定時間放電させることにより行われる。このとき、エージング装置には全てのパネル電極端子３と一括して接続可能な金属繊維で構成された板状エージングトレー電極部５が用いられている（図２）。
【０００５】
【特許文献１】
特開２００２−７５２０６（〔０００８〕、図３）
【０００６】
【発明が解決しようとする課題】
しかしながら、全白表示の点灯によりエージングを行った場合には、赤色・青色の蛍光体と比較して緑色の蛍光体の劣化が早いこと等により、緑色の輝度のみが顕著に下がるため、白色表示における色温度の制御が出来ないという問題があった。具体的には、緑色の輝度のみが顕著に下がった場合には色温度が上昇し、色度図上で黒体軌跡からの偏差を示すΔＵＶ値が低下してしまうという傾向があった（図３）。
【０００７】
本発明は、このような技術的背景のもとでなされたものである。したがって、本発明の目的は、エージング工程において表示色の調整及び表示電圧の安定化を短時間で行うことが可能なプラズマディスプレイパネルの製造方法を提供することである。
【０００８】
【課題を解決するための手段】
上記の目的を達成するために、本発明は、プラズマディスプレイパネルのエージング工程において、一の発光色に対応する発光セルにのみ電圧を印加して単色点灯を行う工程を含むことを特徴とする。
【０００９】
また、本発明は、プラズマディスプレイパネルのエージング工程において、全ての発光色に対応する発光セルに電圧を印加して白色点灯を行う工程と、一の発光色に対応する発光セルにのみ電圧を印加して単色点灯を行う工程とを有することを特徴とする。
【００１０】
また、本発明は、プラズマディスプレイパネルのエージング工程において、一の発光色の輝度を低下させることにより、プラズマディスプレイパネルの白色表示時における色温度を調整する工程を含むことを特徴とする。
【００１１】
また、本発明は、単色点灯を行う工程において、点灯させる発光セルに対応する発光色が赤色又は青色であることを特徴とする。
【００１２】
また、本発明は、一の発光色が赤色又は青色であることを特徴とする。
【００１３】
さらに、本発明は、プラズマディスプレイパネルのエージング工程に用いる製造装置において、プラズマディスプレイパネルの一の発光色に対応した発光セルの電極端子と接続する部分が凸型形状部を有し、他の発光色に対応した発光セルの電極端子と相対する部分は接続のための凸型形状部を有さないエージングトレー電極部を具備することを特徴とする。
【００１４】
【発明の実施の形態】
次に、本発明の実施の形態について図面を参照して詳細に説明する。
【００１５】
図１は、本発明の実施の一形態に係るプラズマディスプレイパネル及びエージング装置を示す斜視図である。
【００１６】
プラズマディスプレイパネルは前面基板１と背面基板２とを所定の距離を保って配置することにより形成する。
【００１７】
まず、前面側のガラス基板の上に放電用の透明電極と透明電極を結ぶトレース電極を設け、透明誘電体層によって被覆する。この透明誘電体層の上にブラックストライプを形成し、表面に電極保護膜としてＭｇＯを形成することにより前面基板１が完成する。
【００１８】
背面基板２は背面側のガラス基板の上に書き込み対向放電用のデータ電極を形成し、その上にデータ電極を保護するため誘電体層を被覆する。さらに、放電空間（発光セル）を確保するために隔壁を形成する。
【００１９】
そして、隔壁側面及び誘電体層を覆うように蛍光体層を形成し背面基板２を完成する。
【００２０】
その後に、背面基板２上に前面基板１との接着剤としてフリット材を塗布し、前面基板１と背面基板２とを貼り合わせて封着する。パネル内を排気した後に放電ガスを封入し、最後に封止することによりプラズマディスプレイパネルの組立工程が終了する。
【００２１】
エージング工程は、以上のようにして作製したプラズマディスプレイパネルの各パネル電極端子３にエージング装置の櫛型エージングトレー電極部４を接続し、所定の時間、所定の電圧を印加することにより行う（図１）。
【００２２】
ここで、本発明の実施の形態によるエージング装置の櫛型エージングトレー電極部４は、図１に示すようにプラズマディスプレイパネルの特定の発光色に対応した発光セルのパネル電極端子３のみと接続が可能なように、プラズマディスプレイパネルのパネル電極端子３の赤色、青色、緑色に対応する３本毎に等ピッチで導通可能な構造を有している。
【００２３】
具体的には、例えばプラズマディスプレイパネルの電極端子が約１５０μｍの幅で約２００μｍ間隔で形成されている場合には、櫛型エージングトレー電極部４の形状は、幅が約１５０μｍで間隔が約９００μｍの櫛型形状となる。
【００２４】
本発明の実施の形態による櫛型エージングトレー電極部４を用いることにより、プラズマディスプレイパネルの赤色、青色、緑色に対応するセルのうち任意に選択した発光色に対応したセルのみに所定の電圧を印加することができ単色表示が可能となる。
【００２５】
その結果、白色表示の特性を示す色温度もしくはΔＵＶ値の制御が可能となる。これは白色色温度は、赤色・緑色・青色のそれぞれのバランスにより決まるが、エージング工程を施すことにより各色の輝度は低下するので、各色毎に個別にエージングすることにより調整が可能となるからである。
【００２６】
具体的には、図３に示すように、青色の輝度を低下させることにより白色色温度は低下し、赤色の輝度を低下させると白色色温度及びΔＵＶ値を上昇させることができる。また、緑色の輝度を低下させると白色色温度は上昇し、ΔＵＶ値は低下させることができる。
【００２７】
以下に、本発明の実施の形態によるエージング工程の一例を具体的に示す。
【００２８】
印加電圧を約１９０Ｖから約２３０Ｖとし、赤色、青色、緑色を同時点灯させた全白表示を約６時間行った後、青色又は赤色の単色表示を約２時間行った。
【００２９】
その結果、エージング工程を施す前の白色の色温度は約１２，０００Ｋであったものが、青色の単色表示によるエージング工程を施すことにより色温度が約１０，０００Ｋになり、目標とするセンター値（通常９，５００Ｋ）に近づけることができ、白色表示特性の改善を図ることができた。
【００３０】
なお、本発明の実施の形態においては、プラズマディスプレイパネルをパネルの状態でエージング工程を施すこととしたが、これに限らず、パネルの裏面に回路基板を搭載したモジュールの状態でエージング工程を施す場合にも、本発明を適用することができる。
【００３１】
【発明の効果】
以上説明したように、本発明によれば、単色表示でエージング工程を施すことができるため、プラズマディスプレイパネルの白色表示特性を調整することができるという効果が得られる。
【図面の簡単な説明】
【図１】本発明の実施の一形態に係るプラズマディスプレイパネル及びエージング装置を示す斜視図である。
【図２】従来の技術に係るプラズマディスプレイパネル及びエージング装置を示す斜視図である。
【図３】プラズマディスプレイパネルの白色表示特性を説明するための図である。
【符号の説明】
１    前面基板
２    背面基板
３    パネル電極端子
４    櫛型エージングトレー電極部
５    板状エージングトレー電極部
【図１】
2004152549.tif 000003
【図２】
2004152549.tif 000004
【図３】
2004152549.tif 000005